(57)【要約】【課題】放射能で汚染された土壌を比較的簡素な工程で、効率良く除染することができる除染方法を提供する。【解決手段】放射能で汚染された地域において集められた除染対象である土壌１０に、セメント系の固化材１１、団粒化剤１２及び水１３を加えて混練し、これによって得られた混練物に酵素ミネラル１４を加えて十分に撹拌、混合する。この後、所定期間、静置すると土壌１０の放射能を除染することができる。団粒化剤１２については、アクリル酸・メタクリル酸ジメチルアミノエチル共重合物のマグネシウム塩とポリエチレンイミンとの複合体からなる高分子化合物を含む薬剤を使用し、酵素ミネラル１４については、貝類化石、リン酸、米糠、マグネシウム及びカリウムを含むものを使用している。【選択図】図１
2014167426.tif 000002
【特許請求の範囲】
【請求項１】
除染対象である土壌に、固化材、団粒化剤及び水を加えて混練する工程と、前記工程で形成された混練物に酵素ミネラルを混合する工程とを備えた土壌除染方法。
【請求項２】
前記酵素ミネラルが、貝類化石、リン酸、米糠、マグネシウム及びカリウムを含むものである請求項１記載の土壌除染方法。
【請求項３】
前記団粒化剤が、アクリル酸・メタクリル酸ジメチルアミノエチル共重合物のマグネシウム塩とポリエチレンイミンとの複合体からなる高分子化合物を含むものである請求項１または２記載の土壌除染方法。
【発明の詳細な説明】
【技術分野】
【０００１】
本発明は、放射能で汚染された土壌を除染する技術に関する。
【背景技術】
【０００２】
予測不可能な事故などによって放射能で汚染された土壌を除染する技術に関しては、近年、様々な提案がなされているが、本発明に関連するものとして、例えば、特許文献１記載の「放射性物質を含む汚染土壌処理システム」、特許文献２記載の「水に含まれる放射性物質除去剤」、特許文献３記載の「盛土構造物」、特許文献４記載の「放射性物質による汚染土の除染用ミニプラント」あるいは特許文献５記載の「汚染土壌の浄化方法」などがある。
【先行技術文献】
【特許文献】
【０００３】
【特許文献１】特開２０１３−１９８８０号公報
【特許文献２】特開２０１３−１５５０７号公報
【特許文献３】特開２０１３−２１８５号公報
【特許文献４】特許第５０５４８４８号公報
【特許文献５】特開２００４−２４３１９５号公報
【発明の概要】
【発明が解決しようとする課題】
【０００４】
特許文献１〜５に記載された除染技術を実施することにより、所定の除染効果が得られることが予測されるが、これらの除染技術は大規模の処理設備や複雑な処理工程を必要としたり、除染処理に長時間を要したりするので、実施が困難となる場合がある。
【０００５】
そこで、本発明が解決しようとする課題は、放射能で汚染された土壌を比較的簡素な工程で、効率良く除染することができる土壌除染方法を提供することにある。
【課題を解決するための手段】
【０００６】
本発明の土壌除染方法は、除染対象である土壌に、固化材、団粒化剤及び水を加えて混練する工程と、前記工程で形成された混練物に酵素ミネラルを混合する工程とを備えたことを特徴とする。
【０００７】
また、前記酵素ミネラルは、貝類化石、リン酸、米糠、マグネシウム及びカリウムを含むものを使用することができる。
【０００８】
さらに、前記団粒化剤は、アクリル酸・メタクリル酸ジメチルアミノエチル共重合物のマグネシウム塩とポリエチレンイミンとの複合体からなる高分子化合物を含むものを使用することができる。
【発明の効果】
【０００９】
放射能で汚染された土壌を比較的簡素な工程で、効率良く除染することができる土壌除染方法を提供することができる。
【図面の簡単な説明】
【００１０】
【図１】本発明の第１実施形態である土壌除染方法を示す図である。
【図２】本発明の第２実施形態である土壌除染方法を示す図である。
【発明を実施するための形態】
【００１１】
以下、図面に基づいて、本発明の実施形態である土壌除染方法について説明する。図１に示す土壌除染方法においては、放射能で汚染された地域において集められた除染対象である土壌１０に、セメント系の固化材１１、団粒化剤１２及び水１３を加えて混練し、これによって得られた混練物に酵素ミネラル１４を加えて十分に撹拌、混合する。なお、固化材１１はセメント系に限定しないので、石灰系の固化材などを使用することもできる。
【００１２】
土壌１０に対する固化材１１、団粒化剤１２、水１３及び酵素ミネラル１４の混合量は土壌１０の汚染程度や性状などに応じて設定するので、一律に決められないが、例えば、本実施形態においては以下のように設定している。
１立方メートルの土壌１０に対し、
固化材１１：５〜８０ｋｇ
団粒化剤１２：２〜４Ｌ
水１３：６０〜１００Ｌ
酵素ミネラル：１５０〜３５０ｋｇ
【００１３】
団粒化剤１２については特に限定しないが、本実施形態では、アクリル酸・メタクリル酸ジメチルアミノエチル共重合物のマグネシウム塩とポリエチレンイミンとの複合体からなる高分子化合物を含む薬剤である有限会社グローバル研究所の「ＧＢ−２０００（商品名）」を使用した。
【００１４】
酵素ミネラル１４については、貝類化石、リン酸、米糠、マグネシウム及びカリウムを含むものを使用しており、これらの成分の混合比率（質量％）は、概略、以下の通りであるが、施工条件に応じて各成分の混合比率を設定する。
貝類化石：４０〜６０質量％
リン酸：２０〜３０質量％
米糠：１０〜２０質量％
マグネシウム：５〜１０質量％
カリウム：５〜１０質量％
【００１５】
除染処理前の土壌１０の放射線量を測定すると「６．５０７マイクロシーベルト」であったが、図１に示すような除染処理を行った後、混練物を静置し、４０日経過した時点で放射線量を測定すると「０．６５５マイクロシーベルト」まで低下しており、大幅に除染されていることを確認することができた。なお、放射線量（γ線量）の測定は株式会社堀場製作所の「環境放射線モニタＰＡ−１０００Ｒａｄｉ（商品名）」を用いて行った。
【００１６】
本実施形態の除染方法は、除染対象である土壌１０に固化材１１、団粒化剤１２及び水１３を加えて混練し、これに酵素ミネラル１４を加えて十分に撹拌、混合した後、静置するだけで良いので、放射能で汚染された土壌１０を比較的簡素な工程で、効率良く除染することができる。
【００１７】
なお、酵素ミネラル１４によって放射能が除染される理由については解明できていない点も多いが、現時点においては、酵素ミネラルに含まれる酵素の作用によって、セシウムなどの放射性物質が分解されるのではないかと推測される。
【００１８】
次に、図２に基づいて、本発明の第２実施形態である除染方法について説明する。図１に示す除染方法は、放射能で汚染された現場において除染対象である土壌１０を除染するものであるが、図２に示す除染方法は、放射能で汚染された地域から採集した土壌１０を所定の処理容器２０に収容し、処理容器２０内で除染作業を行うものである。
【００１９】
即ち、図２に示すように、処理容器２０内に収容された土壌１０に、固化材１１、団粒化剤１２及び水１３を加えて混練し、これによって得られた混練物に酵素ミネラル１４を加えて十分に撹拌、混合する。
【００２０】
前述した除染処理によって得られた処理土壌１０ｘは、所定の地盤２１上に打設して固化させれば、時間の経過に伴って放射線量が低下するので、最終的には放射能が除染された舗装構造２２を形成することができる。そのほか、処理土壌１０ｘを所定の型枠（図示せず）などに充填して固化させることによりブロック体などを形成することもできる。
【００２１】
なお、図１，図２に基づいて説明した除染方法は、本発明を例示するものであり、本発明の除染方法は前述した実施形態に限定されない。
【産業上の利用可能性】
【００２２】
本発明の除染方法は、放射能で汚染された土壌の除染手段として、土木建設業、農業などの産業分野において広く利用することができる。
【符号の説明】
【００２３】
１０  土壌
１０ｘ  処理土壌
１１  固化材
１２  団粒化剤
１３  水
１４  酵素ミネラル
２０  処理容器
２１  地盤
２２  舗装構造
【図１】
2014167426.tif 000003
【図２】
2014167426.tif 000004